(57)【特許請求の範囲】
【請求項１】
遊技客が所有する非接触通信可能なＩＣチップを搭載した携帯端末に対して遊技店に配設された各遊技機に係る情報を提供する遊技情報提供システムであって、
台間機は、
自装置に併設された遊技機の機種に係る機種情報を記憶する記憶手段と、
前記携帯端末が所定の領域内に近接された際に、該携帯端末内のＩＣチップとの間で非接触による通信を行う通信手段と、
前記携帯端末のＩＣチップからの要求に応答して前記記憶手段に記憶した遊技機に係る情報を送信する情報送信手段とを備え、
前記携帯端末は、
前記台間機に対して該台間機に併設された遊技機の機種情報を要求するとともに、前記台間機から遊技機の機種情報を受信した際に当該機種情報を前記携帯端末の主制御部に転送するＩＣチップと、
前記ＩＣチップから前記遊技機の機種情報を受け取って当該機種情報を処理する主制御部とを備えた
ことを特徴とする遊技情報提供システム。
【請求項２】
遊技店内に配設された各台間機と接続された管理装置は、各台間機の識別情報と遊技機の機種情報を対応付けて記憶するテーブルと、所定の操作に応答して前記テーブルに記憶した遊技機の機種情報を該当する台間機に対して送信制御する送信制御手段とを備え、各台間機は、前記管理装置から受信した前記遊技機の機種情報を前記記憶手段に記憶することを特徴とする請求項１に記載の遊技情報提供システム。
【請求項３】
前記台間機は、併設された遊技機の機種情報を提供するＵＲＬを前記記憶手段に記憶し、前記携帯端末のＩＣチップからの要求に応答して前記記憶手段に記憶したＵＲＬを送信し、前記ＩＣチップは、前記台間機から前記ＵＲＬを受信した際に前記主制御部に対してブラウザ起動指示とともに前記ＵＲＬを送信し、前記主制御部は、前記ブラウザ起動指示に応答してブラウザを起動制御するとともに前記ＩＣチップから受け取ったＵＲＬを接続先に設定することを特徴とする請求項１又は２に記載の遊技情報提供システム。
【請求項４】
前記台間機は、併設された遊技機の機種情報を前記記憶手段に記憶し、前記携帯端末のＩＣチップからの要求に応答して前記記憶手段に記憶した機種情報を送信し、前記ＩＣチップは、前記台間機から前記機種情報を受信した際に前記主制御部に対して前記機種情報を送信し、前記主制御部は、前記ＩＣチップから受け取った機種情報を所定の表示部に表示制御することを特徴とする請求項１又は２に記載の遊技情報提供システム。
【請求項５】
遊技客が所有する非接触通信可能なＩＣチップを搭載した携帯端末に対して遊技店に配設された各遊技機に係る情報を提供する遊技情報提供システムの遊技情報提供方法であって、
台間機が、前記携帯端末が所定の領域内に近接された際に、該携帯端末内のＩＣチップとの間で非接触による通信を行う通信工程と、
前記携帯端末のＩＣチップからの要求に応答して所定の記憶手段に記憶した自装置に併設された遊技機の機種に係る機種情報を送信する情報送信工程と、
前記携帯端末のＩＣチップが、前記台間機から該台間機に併設された遊技機の機種情報を受信した際に当該機種情報を前記携帯端末の主制御部に転送する転送工程と、
前記携帯端末の主制御部が、前記ＩＣチップから前記遊技機の機種情報を受け取って当該機種情報を処理する処理工程と
を含んだことを特徴とする遊技情報提供方法。
【発明の詳細な説明】
【技術分野】
【０００１】
本発明は、遊技店において、遊技客が所有する非接触通信可能なＩＣチップを搭載した携帯端末を用いて遊技店に配設された各遊技機に係る有用な情報を迅速かつ効率良く遊技客に提供することができる遊技情報提供システムに関する。
【背景技術】
【０００２】
従来、パチンコ玉やメダルなどの遊技媒体を投入して遊技を行うパチンコ機やパチスロ機などの遊技台を設置する遊技店においては、遊技台の遊技要領などが記載された小冊子を各遊技台に設置したり、各遊技台に付設される台情報表示器に各遊技台の大当たり履歴を表示して、遊技客による遊技及び台選びに有効な情報を提供している。
【０００３】
例えば、特許文献１には、台情報表示器が接続される遊技台から、特賞パルスやスタートパルスなど各種パルス信号を取得し、該取得した各種パルス信号をもとに特賞回数やスタート回数などの遊技台情報を表示することにより、遊技客は、台情報表示器にて表示される遊技台情報に基づいて、どの遊技台であれば出玉を効率良く獲得できるのかを予測・判断し、自身が遊技を行う遊技台を決定できる技術が開示されている。
【０００４】
【特許文献１】特開平１０−２９５９１８号公報
【発明の開示】
【発明が解決しようとする課題】
【０００５】
しかしながら、遊技客が上記小冊子を見ながらパチンコ遊技やパチスロ遊技を行うことは面倒であり、かつ、この小冊子に記載される情報量には制限があるため、実際にはかかる小冊子があまり利用されていないのが実情である。一方で、上記特許文献１に代表される遊技台情報表示技術についても、台情報表示器の利用に不慣れな遊技客にとっては扱い難く、一部の遊技客にしか活用されていないのが現状である。
【０００６】
このため、遊技客が遊技しようとする遊技台に関する有用な情報をいかに迅速かつ効率良く遊技客に提供するかが極めて重要な課題となっている。なお、遊技台に関する情報を電子メール会員に対してメール配信する技術も考えられるが、かかる情報は電子メール会員として登録した遊技客のみが取得し得るものであり、遊技客は不意に立ち寄った遊技店からはかかる情報を取得することができない。加えて、上記遊技客が電子メールによる情報配信を受けたとしても、かかる電子メールには遊技客が今まさに遊技しようとする遊技台に関する情報ではなく遊技店のイベント情報等が含まれるだけであるので、遊技客がかかる電子メール会員になったとしても、遊技しようとする遊技台の情報を取得することができない。
【０００７】
本発明は、上述した従来技術による課題を解消するためになされたものであり、遊技客が遊技しようとする遊技台に関する有用な情報を迅速かつ効率良く遊技客に提供することができる遊技情報提供システム及び遊技情報提供方法を提供することを目的とする。
【課題を解決するための手段】
【０００８】
上述した課題を解決し、目的を達成するために、本発明は、遊技客が所有する非接触通信可能なＩＣチップを搭載した携帯端末に対して遊技店に配設された各遊技機に係る情報を提供する遊技情報提供システムであって、台間機は、自装置に併設された遊技機の機種に係る機種情報を記憶する記憶手段と、前記携帯端末が所定の領域内に近接された際に、該携帯端末内のＩＣチップとの間で非接触による通信を行う通信手段と、前記携帯端末のＩＣチップからの要求に応答して前記記憶手段に記憶した遊技機に係る情報を送信する情報送信手段とを備え、前記携帯端末は、前記台間機に対して該台間機に併設された遊技機の機種情報を要求するとともに、前記台間機から遊技機の機種情報を受信した際に当該機種情報を前記携帯端末の主制御部に転送するＩＣチップと、前記ＩＣチップから前記遊技機の機種情報を受け取って当該機種情報を処理する主制御部とを備えたことを特徴とする。
【０００９】
また、本発明は、上記発明において、遊技店内に配設された各台間機と接続された管理装置は、各台間機の識別情報と遊技機の機種情報を対応付けて記憶するテーブルと、所定の操作に応答して前記テーブルに記憶した遊技機の機種情報を該当する台間機に対して送信制御する送信制御手段とを備え、各台間機は、前記管理装置から受信した前記遊技機の機種情報を前記記憶手段に記憶することを特徴とする。
【００１０】
また、本発明は、上記発明において、前記台間機は、併設された遊技機の機種情報を提供するＵＲＬを前記記憶手段に記憶し、前記携帯端末のＩＣチップからの要求に応答して前記記憶手段に記憶したＵＲＬを送信し、前記ＩＣチップは、前記台間機から前記ＵＲＬを受信した際に前記主制御部に対してブラウザ起動指示とともに前記ＵＲＬを送信し、前記主制御部は、前記ブラウザ起動指示に応答してブラウザを起動制御するとともに前記ＩＣチップから受け取ったＵＲＬを接続先に設定することを特徴とする。
【００１１】
また、本発明は、上記発明において、前記台間機は、併設された遊技機の機種情報を前記記憶手段に記憶し、前記携帯端末のＩＣチップからの要求に応答して前記記憶手段に記憶した機種情報を送信し、前記ＩＣチップは、前記台間機から前記機種情報を受信した際に前記主制御部に対して前記機種情報を送信し、前記主制御部は、前記ＩＣチップから受け取った機種情報を所定の表示部に表示制御することを特徴とする請求項１又は２に記載の遊技情報提供システム。
【００１２】
また、本発明は、上記発明において、遊技客が所有する非接触通信可能なＩＣチップを搭載した携帯端末に対して遊技店に配設された各遊技機に係る情報を提供する遊技情報提供システムの遊技情報提供方法であって、台間機が、前記携帯端末が所定の領域内に近接された際に、該携帯端末内のＩＣチップとの間で非接触による通信を行う通信工程と、前記携帯端末のＩＣチップからの要求に応答して所定の記憶手段に記憶した自装置に併設された遊技機の機種に係る機種情報を送信する情報送信工程と、前記携帯端末のＩＣチップが、前記台間機から該台間機に併設された遊技機の機種情報を受信した際に当該機種情報を前記携帯端末の主制御部に転送する転送工程と、前記携帯端末の主制御部が、前記ＩＣチップから前記遊技機の機種情報を受け取って当該機種情報を処理する処理工程とを含んだことを特徴とする。
【発明の効果】
【００１３】
本発明によれば、遊技店内に配設された台間機は、自装置に併設された遊技機の機種に係る機種情報を記憶し、遊技客が所有する非接触通信可能なＩＣチップを搭載した携帯端末が所定の領域内に近接された際に該携帯端末内のＩＣチップとの間で非接触による通信を行い、該携帯端末は、台間機に対して該台間機に併設された遊技機の機種情報を要求するとともに、台間機から遊技機に係る情報を受信した際に当該機種情報を携帯端末の主制御部に転送するＩＣチップと、該ＩＣチップから遊技機の機種情報を受け取って当該機種情報を処理することとしたので、遊技店において、遊技客が遊技しようとする遊技台に関する有用な機種情報を迅速かつ効率良く遊技客に提供することができる。
【００１４】
また、本発明によれば、遊技店内に配設された各台間機と接続された管理装置は、各台間機の識別情報と遊技機に係る情報を対応付けて記憶するテーブルと、所定の操作に応答して該テーブルに記憶した遊技機に係る情報を該当する台間機に対して送信制御するとともに、各台間機は、管理装置から受信した遊技機に係る情報を記憶することとしたので、遊技店の係員によって提供情報を設定することとし、遊技店において、遊技客が遊技しようとする遊技台に関する有用な情報を迅速かつ効率よく遊技客に提供することができる。
【００１５】
また、本発明によれば、台間機は、併設された遊技機に係る情報を提供するＵＲＬを記憶し、携帯端末のＩＣチップからの要求に応答して記憶したＵＲＬを送信し、ＩＣチップは、台間機からＵＲＬを受信した際に主制御部に対してブラウザ起動指示とともに該ＵＲＬを送信し、主制御部は、ブラウザ起動指示に応答してブラウザを起動制御するとともに、ＩＣチップから受け取ったＵＲＬを接続先に設定することとしたので、遊技店において、遊技客が遊技しようとする遊技台に関する有用な情報を迅速かつ効率よく遊技客に提供することができる。
【００１６】
また、本発明によれば、台間機は、併設された遊技機に係る機種情報を記憶し、携帯端末のＩＣチップからの要求に応答して記憶した機種情報を送信し、ＩＣチップは、台間機から機種情報を受信した際に主制御部に対して機種情報を送信し、主制御部は、ＩＣチップから受け取った機種情報を所定の表示部に表示制御することとしたので、遊技店において、遊技客が遊技しようとする遊技台に関する有用な情報を迅速かつ効率よく遊技客に提供することができる。
【発明を実施するための最良の形態】
【００１７】
以下に添付図面を参照して、本発明に係る遊技情報提供システム及び遊技情報提供方法の好適な実施例を詳細に説明する。以下では、パチンコ機のメーカサイトのＵＲＬ（Uniform Resource Locator）を含む機種情報を遊技客に提供する場合を中心に説明することとする。
【実施例】
【００１８】
まず、本実施例に係る遊技情報提供システムの概念について説明する。図１は、本実施例に係る遊技情報提供システムの概念を説明するための説明図である。同図に示すように、パチンコ機４０に併設された台間機５０にはかざし部５１が設けられており、このかざし部５１に遊技客の携帯電話機７０がかざし操作されると（ステップＳ１）、台間機５０内のリーダライタから携帯電話機７０内のＩＣチップ８０に対してＵＲＬを含む機種情報が送信される（ステップＳ２）。
【００１９】
そして、この機種情報を受け付けたＩＣチップ８０は、携帯電話機７０内の主制御部に対してブラウザ起動を指示するとともに受信したＵＲＬを通知する（ステップＳ３）。この起動指示を受け付けた携帯電話機７０の主制御部は、ブラウザを起動するとともに受け取ったＵＲＬを設定してサイトアクセス可能な状態となり、ユーザによる所定のネットワーク接続操作が行われた際に当該サイトにアクセスする（ステップＳ４）。
【００２０】
このように、本実施例では、台間機５０内のリーダライタ、携帯電話機７０内のＩＣチップ８０、携帯電話機７０の主制御部という三者間での通信（三者間通信）を介して、携帯電話機７０を有する遊技客に対して所望のパチンコ機の機種情報を提供するサイトへの誘導サービスを行うよう構成している。
【００２１】
本実施例によれば、遊技店内に多種多様な機種のパチンコ機４０が配設されている場合に、これらのパチンコ機４０に併設される台間機５０に該パチンコ機４０の機種情報を提供するメーカサイトのＵＲＬをそれぞれ記憶しておけば、遊技客が所望のパチンコ機４０に併設される台間機５０のかざし部５１に自らの携帯電話機７０をかざし操作するだけで、このパチンコ機４０の機種情報等を提供する関連サイトに容易にアクセス可能となるので、従来の小冊子を準備しなくとも遊技客は簡易に所望のパチンコ機４０の機種情報を取得することが可能となる。
【００２２】
この際、かかるサイトがそのパチンコ機４０についての多種多様な情報を提供する場合には、遊技客は、従来の小冊子レベルの価値の低い情報だけではなく、最新かつ詳細な情報を取得することができる。また、かかるブラウザ上に表示されたＵＲＬを遊技客がお気に入り登録すると、遊技客は遊技店以外の自宅等においても機種情報を確認できるため、遊技客は場所を問わずに有用な情報の入手が可能となる。
【００２３】
次に、本実施例に係る遊技情報提供システムのシステム構成について説明する。図２は、本実施例に係る遊技情報提供システムのシステム構成を示す図である。同図に示すように、この遊技情報提供システムは、管理装置１０と、島コントローラ２０と、パチンコ機４０と、台間機５０とが回線３０を介して接続された構成となる。
【００２４】
管理装置１０は、上記三者間通信を介して遊技客の携帯電話機７０に通知するＵＲＬを管理する管理装置である。この管理装置１０は、遊技店内に配設される各パチンコ機４０の機種情報を提供するメーカサイトのＵＲＬ等をそれぞれ記憶しており、所定のＵＲＬ設定操作が行われると、内部に保持したＵＲＬが回線３０を介してそれぞれ該当する台間機５０に対して送信される。なお、この管理装置１０の役割は、従来から遊技店内に配設されているターミナルコントローラ（Ｔ／Ｃ）やホールコンピュータに担わせることもできる。
【００２５】
島コントローラ２０は、遊技店内の各島に設けられる中継装置であり、上記管理装置１０と台間機５０との間に介在する。この島コントローラ２０は、管理装置１０からＵＲＬ及び送信先の台間機５０の識別情報を受け付けた場合に、該当する台間機５０に対して対応するＵＲＬを送信する。
【００２６】
パチンコ機４０は、パチンコ玉を用いたパチンコ遊技を提供する遊技機であり、台間機５０は、遊技客に対してパチンコ玉の貸出処理を行ういわゆる玉貸し機である。この台間機５０は、管理装置１０から受信したＵＲＬを装置内部に記憶するとともに、携帯電話機７０内のＩＣチップ８０との間で非接触の通信を行うリーダライタ５７を有する。
【００２７】
この台間機５０のかざし部５１に携帯電話機７０がかざし操作されたならば、リーダライタ５７を介して上記ＵＲＬが携帯電話機７０のＩＣチップ８０に対して送信される。なお、このＵＲＬを受信したＩＣチップ８０は、携帯電話機７０の主制御部に対してブラウザ起動を指示するとともに、受信したＵＲＬを主制御部に受け渡すことになる。
【００２８】
次に、図２に示した台間機５０の内部構成について説明する。図３は、図２に示した台間機５０の内部構成を示すブロック図である。同図に示すように、台間機５０は、操作部５１、表示部５２、紙幣処理部５３、インタフェース部５４、インタフェース部５５、記憶部５６、リーダライタ５７及び制御部５８を有する。
【００２９】
操作部５１は、各種ボタン群、玉貸出ボタン及びカード返却ボタンなどの総称であり、また、図１においては、台間機５０のかざし部５１の機能も担っている。表示部５２は、玉貸出処理時の状態を表示し、エラー状態をエラーコードなどで表示する機能を備えている。紙幣処理部５３は、紙幣挿入口に挿入された紙幣の金種を識別する紙幣識別の機能を有し、識別した挿入紙幣の金種を制御部５８に出力する。なお、挿入紙幣が偽造紙幣である場合には当該紙幣を返却する。
【００３０】
インタフェース部５４は、島コントローラ２０を介して管理装置１０とデータ通信を行うためのインタフェースであり、インタフェース部５５は、パチンコ機４０とデータ通信を行うためのインタフェースである。
【００３１】
記憶部５６は、ハードディスク装置や不揮発性メモリ等の記憶デバイスであり、特に、遊技客に提供するＵＲＬ情報を記憶しておりＵＲＬ情報５６ａを有する。ＵＲＬ情報５６ａは、遊技店の係員により管理装置１０において設定されたＵＲＬ情報を記憶している。具体的には、各台間機５０の識別情報である台間機ＩＤ、各台間機５０に併設されたパチンコ機４０の機種、パチンコ機４０に対応したＵＲＬ情報であるＵＲＬ及び取得日時を記憶している（図４参照）。
【００３２】
リーダライタ５７は、携帯電話機７０内のＩＣチップ８０との間で非接触の通信を行う。具体的には、台間機５０のかざし部５１に携帯電話機７０がかざし操作されたならば、リーダライタ５７を介してＵＲＬが携帯電話機７０のＩＣチップ８０に対して送信される。なお、このＵＲＬを受信したＩＣチップ８０は、携帯電話機７０の主制御部に対してブラウザ起動を指示するとともに、受信したＵＲＬを主制御部に受け渡すことになる。
【００３３】
制御部５８は、台間機５０を全体制御する制御部であり、玉貸し処理部５８ａ及び情報提供処理部５８ｂを有する。この制御部５８は、パチンコ機４０に対して玉貸出指示を行ったり、遊技客に提供する情報に関しての制御を行ったりする。
【００３４】
玉貸し処理部５８ａは、遊技客により現金を受け入れた際に該現金分のパチンコ玉の玉貸出指示をパチンコ機４０に対して行う。また、カードなどの有価媒体を受け入れた際には、図示しない有価媒体管理装置より該カードに価値付けされた購入金額（残度数）のデータを受け取り、遊技客により玉貸出操作がなされたならば受け付けた玉数を購入金額（残度数）に応じて玉貸出指示をパチンコ機４０に対して行う。
【００３５】
情報提供処理部５８ｂは、遊技客に提供する情報を、ＵＲＬ情報５６ａを用いて制御を行う。具体的には、遊技店の係員により管理装置１０において設定された提供情報を受け取りＵＲＬ情報５６ａに記憶させたり、遊技客により台間機５０のかざし部５１にかざし操作がなされた場合に、ＵＲＬ情報５６ａに記憶しているＵＲＬ情報を用いてリーダライタ５７を介してＩＣチップ８０に送信したりする。
【００３６】
本実施例によれば、管理装置１０において遊技客に提供する情報を設定し、各島の台間機５０の台間機ＩＤに対応付けてＵＲＬを一斉送信することとしたので、各台間機５０に対して各々ＵＲＬを設定する手間を省くことで、遊技店の係員による作業負担を軽減することができる。
【００３７】
次に、図２に示した携帯電話機７０の内部構成について説明する。図５は、図２に示した携帯電話機７０の内部構成を示すブロック図である。同図に示すように、携帯電話機７０は、テンキー７１、表示部７２、アンテナ部７３、記憶部７４、主制御部７５及びＩＣチップ８０を有する。
【００３８】
テンキー７１は、携帯電話機７０の操作を行うための各種ボタン群であり、表示部７２は、液晶画面などの表示デバイスであり、アンテナ部７３は、携帯電話機７０において通話したりメールの送受信を行ったりする際の電波の受発信を行う。
【００３９】
記憶部７４は、ハードディスク装置や不揮発性メモリなどの記憶デバイスであり、電話帳データ７４ａ及びＵＲＬ７４ｂを有する。電話帳データ７４ａは、携帯電話機７０において通話又はメール送信を行う際に必要な個人情報である電話帳を記憶している。ＵＲＬ７４ｂは、携帯電話機７０においてＷｅｂ閲覧の際の履歴ＵＲＬやお気に入りのＵＲＬを記憶する。
【００４０】
主制御部７５は、携帯電話機７０を全体制御する制御部であり、通話処理部７５ａ、ブラウザ７５ｂ及び三者間通信処理部７５ｃを有する。この主制御部７５は、個人名、携帯番号及びメールアドレスなどを電話帳データ７４ａに記憶させたり、三者間通信においての制御を行ったり、三者間通信又は携帯電話機７０の利用者によるブラウザ起動指示がなされた場合にブラウザを起動させたりする。
【００４１】
通話処理部７５ａは、予め個人名、携帯番号及びメールアドレスなどが記憶されている電話帳データ７４ａから読み出された電話番号を用いて、携帯電話機７０の利用者により通話指示がなされた場合には、該電話番号を用いて電話をかけるなどの制御を行う。
【００４２】
ブラウザ７５ｂは、三者間通信又は携帯電話機７０の利用者によるブラウザ起動指示がなされた場合にブラウザを起動させる。特に、三者間通信においてＩＣチップ８０よりブラウザ起動指示がなされた場合には、ＩＣチップ８０より送信されるＵＲＬに基づいて該ＵＲＬが入力されたブラウザを起動させる。
【００４３】
三者間通信処理部７５ｃは、三者間通信においてＩＣチップ８０より送信されるデータを受け取ったり、アプリケーションの起動指示を受け付けたりする。具体的には、ＩＣチップ８０より提供されるＵＲＬ情報及びブラウザ起動指示を受け付けたならば、該ＵＲＬに基づいたブラウザを起動させるブラウザ起動指示をブラウザ７５ｂに対して行う。なお、ブラウザ起動指示を受け付けたブラウザ７５ｂは、受け付けたＵＲＬに基づいて該ＵＲＬが入力されたブラウザを起動させる。
【００４４】
ＩＣチップ８０は、リーダライタ５７及び携帯電話機７０と非接触で三者間通信を行う際のデータ送受信又は携帯電話機７０に対してブラウザ起動指示を行う中継装置であり、アンテナ部８１、記憶部８２及び制御部８３を有する。
【００４５】
アンテナ部８１は、リーダライタ５７と非接触でデータ通信を行うためのインタフェースであり、記憶部８２は、不揮発性メモリなどの記憶デバイスであり三者間通信による複数種類のデータを管理している。
【００４６】
制御部８３は、ＩＣチップ８０を全体制御する制御部であり、三者間通信処理部８３ａを有する。三者間通信処理部８３ａは、三者間通信においてアンテナ部８１を介してリーダライタ５７より送信されるデータを受け取り、受け取ったデータを携帯電話機７０の三者間通信処理部７５ｃに対して送信する。具体的には、リーダライタ５７よりＵＲＬ情報を受け取ったならば、三者間通信処理部７５ｃに対してＵＲＬ情報を送信するとともにブラウザ起動指示を行う。
【００４７】
次に、三者間通信におけるリーダライタ５７とＩＣチップ８０との非接触によるデータ通信について説明する。図６は、三者間通信におけるリーダライタ５７及びＩＣチップ８０間の非接触によるデータ通信を示す制御シーケンス図である。
【００４８】
図６に示すように、リーダライタ５７は、携帯電話機７０のかざし操作待ちで、三者間通信を行うための電波を常に送信しており（ステップＳ１０１）、ＩＣチップ８０からの接続要求受付待ちの状態にある（ステップＳ１０２否定）。
【００４９】
また、ＩＣチップ８０は、リーダライタ５７からの電波の受信待ち状態にあり（ステップＳ１０３否定）、遊技客により携帯電話機７０がリーダライタ５７にかざし操作されてリーダライタ５７から電波を受信したならば（ステップＳ１０３肯定）、リーダライタ５７に対して三者間通信の接続要求を行う（ステップＳ１０４）。
【００５０】
そして、リーダライタ５７は、ＩＣチップ８０より三者間通信の接続要求を受け付けたならば（ステップＳ１０２肯定）、遊技客によりかざし操作された携帯電話機７０が三者間通信が可能か否かの判定を行い（ステップＳ１０５）、遊技客によりかざし操作された携帯電話機７０が三者間通信対応の携帯電話機である場合には（ステップＳ１０６肯定）、ＵＲＬ情報５６ａを用いて情報提供処理部５８ｂの制御に従って該当する台間機ＩＤに対応するＵＲＬを読み出し（ステップＳ１０７）、読み出したＵＲＬをＩＣチップ８０に対して送信する（ステップＳ１０８）。なお、遊技客によりかざし操作された携帯電話機７０が三者間通信未対応の携帯電話機である場合には（ステップＳ１０６否定）、三者間通信を行うための電波送信を行う。
【００５１】
さらに、ＩＣチップ８０は、リーダライタ５７より遊技客に提供するＵＲＬの受信待ちの状態にあり（ステップＳ１０９否定）、アンテナ部８１を介してリーダライタ５７よりＵＲＬを受信したならば（ステップＳ１０９肯定）、三者間通信処理部８３ａの制御に従って主制御部７５に対してブラウザ起動指示を行うとともに（ステップＳ１１０）、リーダライタ５７より受信したＵＲＬを主制御部７５に対して転送する（ステップＳ１１１）。なお、ＩＣチップ８０よりＵＲＬデータ及びブラウザ起動指示を受け付けた携帯電話機７０は、ブラウザ７５ｂの制御に従って表示部７２に受け取ったＵＲＬに基づいたブラウザを起動する。
【００５２】
上述してきたように、本実施例では、遊技店において台間機５０のリーダライタ５７、携帯電話機７０及び該携帯電話機７０に内蔵されているＩＣチップ８０の三者による三者間通信と、遊技店の係員により管理装置１０において提供する情報が設定され、この提供情報を記憶している台間機５０のＵＲＬ情報５６ａを用いて、遊技客により携帯電話機７０が台間機５０のかざし部５１にかざし操作されたならば、台間機５０に併設されたパチンコ機４０の機種情報などを提供する関連サイトに容易にアクセス可能となるので、遊技店において、遊技客が遊技しようとする遊技台に関する有用な情報を迅速かつ効率良く遊技客に提供することができる。
【００５３】
なお、本実施例では、三者間通信において遊技客が所有する携帯電話機７０の表示部７２にブラウザを起動させ、遊技客が遊技を行っている遊技台の情報が提供されているメーカ専用Ｗｅｂサイトへ誘導することとしたが、本発明はこれに限定されるものではなく、予め遊技店に氏名や住所などの個人情報を会員登録申込用紙に記入して会員登録を行った会員に対して会員サービスを提供することもできる。ここで、会員は、ＩＣチップ８０のユニークな識別番号であるＩＤｍが登録済みであることとする。
【００５４】
かかる場合には、会員により携帯電話機７０が台間機５０のかざし部５１にかざされたならば、ＩＣチップ８０のＩＤｍが読み取られて、該ＩＤｍと図示しない会員管理Ｔ／Ｃの会員管理テーブルが管理しているＩＤｍとが一致したならば、該当する詳細な会員データ（貯玉残高、再プレイ手数料、最新来店日及びポイント残高など）が参照可能なサイトへ誘導したり、該会員データサイトを利用して貯玉を用いたドリンク注文などを行ったりすることができる。
【００５５】
また、本実施例では、三者間通信において遊技客が所有する携帯電話機７０の表示部７２にブラウザを起動させ、遊技客が遊技を行っている遊技台の情報が提供されているメーカ専用Ｗｅｂサイトへ誘導することとしたが、本発明はこれに限定されるものではなく、三者間通信において遊技客が所有する携帯電話機７０の表示部７２に予め宛先が入力されたメーラを起動させ、遊技店のＥメール会員登録を行ったり遊技店に対して意見投稿したりすることもできる。かかる場合には、リーダライタ５７をＥメール会員登録用又は意見投稿用スペースを設けるなどして遊技店のあらゆる場所に設置してもよい。
【００５６】
また、本実施例では、三者間通信において遊技客が所有する携帯電話機７０の表示部７２にブラウザを起動させ、遊技客が遊技を行っている遊技台の情報が提供されているメーカ専用Ｗｅｂサイトへ誘導することとしたが、本発明はこれに限定されるものではなく、三者間通信において遊技客が所有する携帯電話機７０の表示部７２にメッセージ表示をさせるメッセージ表示機能を用いて、遊技店からの情報を遊技客に対して提供することもできる。
【００５７】
かかる場合には、遊技客により携帯電話機７０が台間機５０のかざし部５１にかざされたならば、従来、店内放送で行っている設定公開、当日の甘釘台またはイベント台などをメッセージ表示させるので、遊技店が提供する情報を遊技客に的確に伝えることができる。また、遊技客によりかざし操作がなされた場合に、ドリンクサービス券の代用としてメッセージ表示機能を利用することもできる。
【産業上の利用可能性】
【００５８】
以上のように、本発明にかかる遊技情報提供システム及び遊技情報提供方法は、遊技店において、遊技客が遊技しようとする遊技台に関する有用な情報を迅速かつ効率良く遊技客に提供することに適している。
【図面の簡単な説明】
【００５９】
【図１】本実施例に係る遊技情報提供システムの概念を説明するための説明図である。
【図２】本実施例に係る遊技情報提供システムのシステム構成を示す図である。
【図３】図２に示した台間機の内部構成を示すブロック図である。
【図４】図３に示したＵＲＬ情報の一例を示す図である。
【図５】図２に示した携帯電話機の内部構成を示すブロック図である。
【図６】三者間通信におけるリーダライタ及びＩＣチップ間の非接触によるデータ通信を示す制御シーケンス図である。
【符号の説明】
【００６０】
１０    管理装置
２０    島コントローラ
３０    回線
４０    パチンコ機
５０    台間機
５１    かざし部（操作部）
５２    表示部
５３    紙幣処理部
５４    インタフェース部
５５    インタフェース部
５６    記憶部
５６ａ    ＵＲＬ情報
５７    リーダライタ
５８    制御部
５８ａ    玉貸し処理部
５８ｂ    情報提供処理部
７０    携帯電話機
７１    テンキー
７２    表示部
７３    アンテナ部
７４    記憶部
７４ａ    電話帳データ
７４ｂ    ＵＲＬ
７５    主制御部
７５ａ    通話処理部
７５ｂ    ブラウザ
７５ｃ    三者間通信処理部
８０    ＩＣチップ
８１    アンテナ部
８２    記憶部
８３    制御部
８３ａ    三者間通信処理部
【図１】
0005394612.tif 000002
【図２】
0005394612.tif 000003
【図３】
0005394612.tif 000004
【図４】
0005394612.tif 000005
【図５】
0005394612.tif 000006
【図６】
0005394612.tif 000007